【手続補正書】
【提出日】平成25年4月4日(2013.4.4)
【手続補正１】
【補正対象書類名】明細書
【補正対象項目名】００３０
【補正方法】変更
【補正の内容】
【００３０】
制御部１４は、代表文字列の表示範囲内の部分をディスプレイ１３に表示している状態で、ディスプレイ１３上の列が表示された領域へのフリック操作をタッチ位置情報に基づいて検出すると、フリック操作に応じて表示範囲の代表文字の列を上記した扇型領域上でスクロールし、ディスプレイ１３に表示する代表文字を連続的に変化させる。
【手続補正２】
【補正対象書類名】明細書
【補正対象項目名】００８８
【補正方法】変更
【補正の内容】
【００８８】
（第三の変形例）
第一の実施形態では、一例として、変換候補を代表文字列２３および行内文字列２４と同心の円弧上に配置し、文字入力に用いる特殊キーを行内文字列２４の更に内側に配置している。ユーザはこれらの特殊キーを用いて入力文字を編集したり、変換候補を選択したり、決定したりする。しかし、本発明はこれに限定されるものではなく、情報処理端末１０を把持する他方の手で変換候補に対する制御を行ってもよい。
【手続補正３】
【補正対象書類名】明細書
【補正対象項目名】００８９
【補正方法】変更
【補正の内容】
【００８９】
第三の変形例の情報処理端末１０は、ユーザが代表文字および行内文字への操作を行うのとは逆の手の指で変換候補に関する操作を行うための構成を有する。
【手続補正４】
【補正対象書類名】明細書
【補正対象項目名】００９０
【補正方法】変更
【補正の内容】
【００９０】
第三の変形例の情報処理端末１０は、文字入力領域に表示した平仮名で始まる単語などの語を変換候補とし、その変換候補を文字入力領域の近傍に表示する。
【手続補正５】
【補正対象書類名】明細書
【補正対象項目名】００９１
【補正方法】変更
【補正の内容】
【００９１】
図１４は、第三の変形例におけるディスプレイ１３の画面表示例を示す図である。図１４を参照すると、文字入力領域２１の下に変換候補列２６が表示されている。変換候補列２６には複数の変換候補の語が表示されており、その中で「厚着」という語が選択された状態である。図１４において「厚着」が破線で囲まれているのが選択を示している。
【手続補正６】
【補正対象書類名】明細書
【補正対象項目名】００９２
【補正方法】変更
【補正の内容】
【００９２】
また、情報処理端末１０は、ディスプレイ１３の代表文字列２３や行内文字列２４を表示した側とは逆側の下側部（候補操作領域）へのタッチ操作で変換候補への制御を受け付ける。
【手続補正７】
【補正対象書類名】明細書
【補正対象項目名】００９３
【補正方法】変更
【補正の内容】
【００９３】
具体的には、制御部１４は、入力部１２からのタッチ位置情報を基に、候補操作領域へのフリック操作またはドラッグ操作を検出すると、その操作に応じて変換候補の選択を切り替える。例えば図１４の状態で候補操作領域に右向きのフリック操作が行われると、制御部１４は変換候補の選択を順次「明るい」「青空」「秋冬」と切り替えていく。
【手続補正８】
【補正対象書類名】明細書
【補正対象項目名】００９４
【補正方法】変更
【補正の内容】
【００９４】
また、制御部１４は、いずれかの変換候補が選択されている状態で、候補操作領域へのタップ操作を検出すると、選択されている変換候補が指定されたものと認識し、その変換候補の語を文字入力領域２１に入力する。例えば図１４の状態で候補操作領域にタップ操作が行われると、選択されている変換候補である「厚着」が文字入力領域２１に入力される。
【手続補正９】
【補正対象書類名】明細書
【補正対象項目名】０１２１
【補正方法】変更
【補正の内容】
【０１２１】
第四の実施形態では、情報処理端末１０を把持した手の親指を屈伸させたときの軌道となる直線上に代表文字列２３が配置され、行内文字列２４は情報処理端末１０を把持した手の親指の自然な位置の付近に来る円上に一列に配置される。これにより行内文字列２４へのフリック、ドラッグ、およびタップの操作が容易となる。
【手続補正１０】
【補正対象書類名】明細書
【補正対象項目名】０１５２
【補正方法】変更
【補正の内容】
【０１５２】
（付記５）
前記制御手段は、前記第一の項目グループの列を直線上に表示し、前記第二の項目グループの前記少なくとも一部の項目を前記第一の項目グループの列に隣接する直線上に一列に並べて表示する、付記４に記載の情報処理端末。
【手続補正１１】
【補正対象書類名】明細書
【補正対象項目名】０１５３
【補正方法】変更
【補正の内容】
【０１５３】
（付記６）
前記制御手段は、前記第一の項目グループの列を円弧上に表示し、前記第二の項目グループの前記少なくとも一部の項目を前記第一の項目グループの列と同心の円弧上に一列に並べて表示する、付記４に記載の情報処理端末。
【手続補正１２】
【補正対象書類名】明細書
【補正対象項目名】０１５４
【補正方法】変更
【補正の内容】
【０１５４】
（付記７）
前記制御手段は、前記第一の項目グループの選択された前記項目を交点として前記第一の項目グループの列と交わる線上に、前記第二の項目グループの前記少なくとも一部の項目を一列に並べて表示する、付記４に記載の情報処理端末。
【手続補正１３】
【補正対象書類名】明細書
【補正対象項目名】０１５５
【補正方法】変更
【補正の内容】
【０１５５】
（付記８）
前記制御手段は、前記第一の項目グループの選択された前記項目を中心として周囲に、前記第二の項目グループの前記少なくとも一部の項目を一列に並べて表示する、付記４に記載の情報処理端末。
【手続補正１４】
【補正対象書類名】明細書
【補正対象項目名】０１５７
【補正方法】変更
【補正の内容】
【０１５７】
（付記１０）
前記第二の項目グループの項目が文字であり、
前記制御手段は、前記第二の項目グループの文字に対する選択操作が行われると、該選択操作が行われた文字を文字入力領域に表示し、前記文字入力領域に表示した文字に関する語を変換候補として表示する、付記４から９のいずれか一項に記載の情報処理端末。
【手続補正１５】
【補正対象書類名】明細書
【補正対象項目名】０１５８
【補正方法】変更
【補正の内容】
【０１５８】
（付記１１）
前記制御手段は前記変換候補を前記扇形領域内またはその近傍に表示する、付記１０に記載の情報処理端末。
【手続補正１６】
【補正対象書類名】明細書
【補正対象項目名】０１５９
【補正方法】変更
【補正の内容】
【０１５９】
（付記１２）
前記制御手段は、前記変換候補を優先度に応じた位置または大きさで表示する、付記１０または１１に記載の情報処理端末。
【手続補正１７】
【補正対象書類名】明細書
【補正対象項目名】０１６０
【補正方法】変更
【補正の内容】
【０１６０】
（付記１３）
前記制御手段は前記変換候補を前記文字入力領域の近傍に表示する、付記１０に記載の情報処理端末。
【手続補正１８】
【補正対象書類名】明細書
【補正対象項目名】０１６１
【補正方法】変更
【補正の内容】
【０１６１】
（付記１４）
前記制御手段は、前記ディスプレイの前記扇形領域と逆側の下側部に対する操作に応じて前記変換候補を制御する、付記１３に記載の情報処理端末。
【手続補正１９】
【補正対象書類名】明細書
【補正対象項目名】０１６２
【補正方法】変更
【補正の内容】
【０１６２】
（付記１５）
前記変換候補を選択するための操作はフリック操作またはドラッグ操作である、付記１４に記載の情報処理端末。
【手続補正２０】
【補正対象書類名】明細書
【補正対象項目名】０１６３
【補正方法】変更
【補正の内容】
【０１６３】
（付記１６）
前記変換候補を指定するための操作はタップ操作である、付記１４または１５に記載の情報処理端末。
【手続補正２１】
【補正対象書類名】明細書
【補正対象項目名】０１６４
【補正方法】変更
【補正の内容】
【０１６４】
（付記１７）
前記変換候補は前記文字入力領域に表示した文字で始まる語である、付記１０から１６のいずれか一項に記載の情報処理端末。
【手続補正２２】
【補正対象書類名】特許請求の範囲
【補正対象項目名】請求項１４
【補正方法】変更
【補正の内容】
【請求項１４】
前記第二の項目グループの項目が文字であり、
前記制御手段は、前記第二の項目グループの文字に対する選択操作が行われると、該選択操作が行われた文字を文字入力領域に表示し、前記文字入力領域に表示した文字に関する語を変換候補として表示する、請求項７から１３のいずれか一項に記載の情報処理端末。
【手続補正２３】
【補正対象書類名】特許請求の範囲
【補正対象項目名】請求項１５
【補正方法】変更
【補正の内容】
【請求項１５】
前記制御手段は前記変換候補を前記扇形領域内またはその近傍に表示する、請求項１４に記載の情報処理端末。
【手続補正２４】
【補正対象書類名】特許請求の範囲
【補正対象項目名】請求項１６
【補正方法】変更
【補正の内容】
【請求項１６】
前記制御手段は、前記変換候補を優先度に応じた位置または大きさで表示する、請求項１４または１５に記載の情報処理端末。
【手続補正２５】
【補正対象書類名】特許請求の範囲
【補正対象項目名】請求項１７
【補正方法】変更
【補正の内容】
【請求項１７】
前記制御手段は前記変換候補を前記文字入力領域の近傍に表示する、請求項１４に記載の情報処理端末。
【手続補正２６】
【補正対象書類名】特許請求の範囲
【補正対象項目名】請求項１８
【補正方法】変更
【補正の内容】
【請求項１８】
前記制御手段は、前記ディスプレイの前記扇形領域と逆側の下側部に対する操作に応じて前記変換候補を制御する、請求項１７に記載の情報処理端末。
【手続補正２７】
【補正対象書類名】特許請求の範囲
【補正対象項目名】請求項１９
【補正方法】変更
【補正の内容】
【請求項１９】
前記変換候補を選択するための操作はフリック操作またはドラッグ操作である、請求項１８に記載の情報処理端末。
【手続補正２８】
【補正対象書類名】特許請求の範囲
【補正対象項目名】請求項２０
【補正方法】変更
【補正の内容】
【請求項２０】
前記変換候補を指定するための操作はタップ操作である、請求項１８または１９に記載の情報処理端末。
【手続補正２９】
【補正対象書類名】特許請求の範囲
【補正対象項目名】請求項２１
【補正方法】変更
【補正の内容】
【請求項２１】
前記文字入力領域が複数あり、前記変換候補を選択するための操作は、前記変換候補から所望の文字入力領域に向けたフリック操作またはドラッグ操作である、請求項１４から１６のいずれか一項に記載の情報処理端末。
【手続補正３０】
【補正対象書類名】特許請求の範囲
【補正対象項目名】請求項２２
【補正方法】変更
【補正の内容】
【請求項２２】
前記ディスプレイが複数あり、前記変換候補を選択するための操作は、前記変換候補から文字入力領域が表示されたディスプレイに向けたフリック操作またはドラッグ操作である、請求項１４から１６のいずれか一項に記載の情報処理端末。
【手続補正３１】
【補正対象書類名】特許請求の範囲
【補正対象項目名】請求項２３
【補正方法】変更
【補正の内容】
【請求項２３】
前記変換候補は前記文字入力領域に表示した文字で始まる語である、請求項１４から２２のいずれか一項に記載の情報処理端末。